(57)【要約】      （修正有）【課題】複数のチャンバを有する膨張可能のマットレスと組み合わされる膨張収縮装置を提供する。【解決手段】１つの入口２１１及び３つの出口２１２，２１３，２１４を有するケーシング２１と、マットレスのチャンバに膨張又は収縮を生じさせるために入口内に受け入れられたポンプ２２と、ポンプがマットレスのチャンバを同時に膨張又は収縮させることができるように出口にそれぞれ可動に据えられた複数の制御可能の弁２３，２４，２５とを含む。【選択図】図２
0003104241.tif 000002
【実用新案登録請求の範囲】
【請求項１】
複数のチャンバを有する膨張可能のマットレスに設けられ、前記複数のチャンバを同時に又は個々に膨張又は収縮させるための膨張収縮装置であって、
少なくとも１つの入口と前記複数のチャンバに対応する複数の出口を有するケーシングと、
前記入口内に受け入れられ、前記マットレスの複数のチャンバを膨張又は収縮させるポンプと、
前記複数のチャンバに対応してまた前記ポンプが前記マットレスの複数のチャンバを同時に又は個々に膨張又は収縮させることができるように前記出口にそれぞれ可動に据えられた複数の制御可能の弁とを含む、膨張収縮装置。
【請求項２】
請求項１に記載の複数のチャンバを有する膨張可能のマットレスと組み合わされる膨張収縮装置であって、さらに、前記弁の電磁スイッチの動作を制御するように設けられたマスタースイッチを含み、少なくとも１つの電磁スイッチが前記弁の動作を制御するように設けられている、膨張収縮装置。
【請求項３】
請求項２に記載の複数のチャンバを有する膨張可能のマットレスと組み合わされる膨張収縮装置であって、前記弁の動作を制御するために少なくとも１つのノブが設けられ、
少なくとも１つの押しボタンが前記弁の動作を制御するために設けられ、
膨張スイッチと収縮スイッチとが前記ポンプの膨張作用及び収縮作用をそれぞれ制御するために設けられている、膨張収縮装置。
【考案の詳細な説明】
【技術分野】
【０００１】
本考案は、膨張収縮装置、特に、複数のチャンバを有する膨張可能のマットレスと組み合わされる膨張収縮装置であってこれが複数のチャンバを同時に膨張又は収縮させることができる膨張収縮装置に関する。
【背景技術】
【０００２】
内部に単一の室すなわちチャンバを有する膨張可能のマットレスであって該マットレスのノズルにポンプが接続されるとき、前記ポンプが前記マットレスを迅速に膨張（又は収縮）させることができるようなマットレスが知られている。しかし、前記マットレスがその内部に規定された２以上のチャンバを有する場合、ユーザは、一番目のチャンバが膨張された後、他のチャンバを膨張させるために前記ポンプを周りに動かさなければならない。すなわち、ユーザが前記マットレスの上に快適に横になることができるように、ユーザは前記マットレス内の全てのチャンバを個々に膨張させなければならない。しかし、ユーザは前記マットレス内の個々のチャンバを膨張させるために前記マットレスの周りに前記ポンプを動かさなければならないため、前記マットレスに対する前記ポンプの移動、引っ掛け及びその解除に時間と努力とを浪費する。
【考案の開示】
【考案が解決しようとする課題】
【０００３】
この欠点を克服するため、本考案は、前記した問題を軽減するために複数のチャンバを有する膨張可能のマットレスと組み合わされる改良された膨張収縮装置を提供することを企図する。
【０００４】
本考案の主な目的は、改良された膨張収縮装置であって１又は少なくとも１つの入口と、前記膨張収縮装置のケーシングに設けられた複数の出口と、前記入口に連通する室内に受け入れられた空気ポンプと、前記出口の対応する一つにそれぞれ受け入れられた複数の電磁弁とを有し、これにより、前記電磁弁が開かれた後、前記空気ポンプの作動が前記チャンバに対する膨張又は収縮を同時に生じさせることができる膨張収縮装置を提供することにある。
【０００５】
本考案の他の目的は、各電磁弁が他の電磁弁と共に同時に操作又は操作解除されることが可能であるように各電磁弁に関連するリンク機構を提供することにある。
【課題を解決するための手段】
【０００６】
本考案は、複数のチャンバを有する膨張可能のマットレスに設けられ、前記複数のチャンバを同時に又は個々に膨張又は収縮させるための膨張収縮装置に関し、少なくとも１つの入口と前記複数のチャンバに対応する複数の出口を有するケーシングと、前記入口内に受け入れられ、前記マットレスの複数のチャンバを膨張又は収縮させるポンプと、前記複数のチャンバに対応してまた前記ポンプが前記マットレスの複数のチャンバを同時に又は個々に膨張又は収縮させることができるように前記出口にそれぞれ可動に据えられた複数の制御可能の弁とを含む。
【０００７】
前記複数のチャンバを有する膨張可能のマットレスと組み合わされる膨張収縮装置であって、さらに、前記弁の電磁スイッチの動作を制御するように設けられたマスタースイッチを含み、少なくとも１つの電磁スイッチが前記弁の動作を制御するように設けられている。また、これらの複数のチャンバを有する膨張可能のマットレスと組み合わされる膨張収縮装置であって、前記弁の動作を制御するために少なくとも１つのノブが設けられ、少なくとも１つの押しボタンが前記弁の動作を制御するために設けられ、
膨張スイッチと収縮スイッチとが前記ポンプの膨張作用及び収縮作用をそれぞれ制御するために設けられている。
【０００８】
本考案の他の目的、利点及び特徴は図面を参照しての以下の詳細な説明からより明らかとなろう。
【考案の効果】
【０００９】
本考案によれば、改良された膨張収縮装置であって１又は少なくとも１つの入口と、前記膨張収縮のケーシングに設けられた複数の出口と、前記入口に連通する室内に受け入れられた空気ポンプと、前記出口の対応する一つにそれぞれ受け入れられた複数の電磁弁とを有し、これにより、前記電磁弁が開かれた後、前記空気ポンプの作動が前記チャンバに対する膨張又は収縮を同時に生じさせることができる膨張収縮装置が提供される。
【考案を実施するための最良の形態】
【００１０】
図１−１及び図１−２を参照すると、膨張可能のマットレス１は、本体１１であって該本体の前部に規定又は形成された第１のチャンバ１２と、本体１１の後部に規定又は形成された第２のチャンバ１３とを有する本体１１を備える。膨張収縮装置２が、マットレス１の本体１１の側部に設けられ、また膨張収縮装置２は第１のチャンバ１２及び第２のチャンバ１３にそれぞれ連通するパイプ（図示せず）を有する。
【００１１】
図２を参照すると、膨張収縮装置２は、ケーシング２１であって該ケーシングの側壁にそれぞれ形成された１つの入口２１１と３つの出口２１２，２１３，２１４を有するケーシング２１を備える。ポンプ２２が入口２１の内部に据えられており、これによりポンプ２２は周囲の環境からマットレス１へ空気を吸引し、あるいはマットレス１の内部の空気を入口２１１からマットレス１の外部へ強制的に追いやることにより、マットレス１を収縮させることができる。各出口２１２，２１３，２１４は、これらの出口の開きを調整するための制御可能の弁２３，２４，２５を有する。
【００１２】
図２に示す弁２３，２４，２５は、電磁スイッチ２３Ａ，２４Ａ，２５Ａにより制御され、これにより、これらの電磁スイッチ２３Ａ，２４Ａ，２５Ａにそれぞれ据えられたコイル２３Ａ１，２４Ａ１，２５Ａ１が励起された後、磁場の影響下で、弁２３，２４，２５が開くように押され、また電磁スイッチ２３Ａ，２４Ａ，２５Ａにそれぞれ据えられた反跳ばね２３Ａ２，２４Ａ２，２５Ａ２が圧縮される。その結果、出口２１２，２１３，２１４が開く。操作者は、マットレス１の異なる部分を同時に収縮又は膨張させるためにポンプ２２を使うことができる。コイル２３Ａ１，２４Ａ１，２５Ａ１への電力供給後、ばね２３Ａ２，２４Ａ２，２５Ａ２からの反跳力の影響下で、弁２３，２４，２５が出口２１２，２１３，２１４を閉じるように押し戻される。
【００１３】
図３及び４を参照すると、第１の方向へのノブ２３Ｂ，２４Ｂ，２５Ｂの回転により、出口２１２，２１３，２１４を開くように弁２３，２４，２５を強制することができ、また弁２３，２４，２５にそれぞれ据えられたばね２３Ｂ２，２４Ｂ２，２５Ｂ２を圧縮することができる。入口２１１内のポンプの操作により、操作者は、前記マットレスの異なる部分を同時に膨張又は収縮させることができる。ノブ２３Ｂ，２４Ｂ，２５Ｂが第２の方向に回転されると、ばね２３Ｂ２，２４Ｂ２，２５Ｂ２が解放され、出口２１２，２１３，２１４を閉じるように弁２３，２４，２５を押し戻す。さらに、各ノブ２３Ｂ，２４Ｂ，２５Ｂを接続するようにリンク機構２６が設けられ、該リンク機構は、ノブ２３Ｂ，２４Ｂ，２５Ｂが同じ方向に同時に又は個々に回転され得ることを確実にすべく、ノブ２３Ｂ，２４Ｂ，２５Ｂの両側にそれぞれ形成された３組の耳２３Ｂ３，２４Ｂ３，２５Ｂ３を有する。したがって、操作者は、その身体の異なる部分が同時に又は個々に支持されるようにすべく前記マットレス内の前記膨張部分を制御することができる。例えば、図１−１及び図１−２に示すように、操作者は、その上体の完全な支持を図るべくマットレス１の第１のチャンバ１２を膨張させることができ、あるいは、操作者はその両脚の完全な支持を図るべく第２のチャンバ１３を膨張させることができる。
【００１４】
図５を参照すると、前記した制御機構が押しボタン２３Ｃ，２４Ｃ，２５Ｃに採用されている。押しボタン２３Ｃ，２４Ｃ，２５Ｃは、弁２３，２４，２５を開くために押され、リンク機構２８によって制御される。その間に、ばね２３Ｃ２，２４Ｃ２，２５Ｃ２が圧縮され、出口２１２，２１３，２１４が開く。このため、操作者は、前記マットレスの異なる部分を膨張又は収縮させるようにポンプ２２を用いることができる。マスター押しボタン２７が押されると、押しボタン２３Ｃ，２４Ｃ，２５Ｃがリンク機構２８から解放される。ばね２３Ｃ２，２４Ｃ２，２５Ｃ２の影響下で、弁２３，２４，２５が出口２１２，２１３，２１４を閉じる。その後、ばね２７１，２８１の影響下で、マスター押しボタン２７とリンク機構２８とがこれらのもとの位置に戻る。図６に示すように、押しボタン２３Ｃ，２４Ｃ，２５Ｃにはそれぞれ接触スイッチ２３Ｃ３，２４Ｃ３，２５Ｃ３が設けられている。
【００１５】
図８〜図１０を参照すると、弁２３，２４，２５の制御機構もまたポンプ２２の回転方向を制御する。停止スイッチが、前記マスタースイッチと同様に他のスイッチに対する制限を解除する。その詳細な説明は省略する。
【００１６】
図１１〜図１７を参照すると、異なる実施態様における有線の制御回路が示されている。
【００１７】
図１８は、本考案の制御機構で用いられる無線の制御回路を示す。しかし、無線制御の情報は従来のものであるため、詳細な説明は省略する。
【００１８】
しかし、本考案の多くの特徴及び利点を、その構造及び作用の詳細と共に先に説明したが、その開示は説明のためであり、変更が詳細に、特に、添付の実用新案登録請求の範囲に表された用語の広い一般的な意味により示された全範囲に対する本考案の原理内において、部品の形状、寸法及び配列の事項において可能である。
【図面の簡単な説明】
【００１９】
【図１−１】側部に膨張収縮装置を有する膨張可能のマットレスの斜視図である。
【図１−２】マットレスの異なるチャンバに接続されかつこれらと連通しているパイプを有する膨張収縮装置を示す概略的な斜視図である。
【図２】本考案の膨張収縮装置の第２の実施例の内部構造を示す概略図である。
【図３】本考案の膨張収縮装置の他の実施例の側面図である。
【図４】図３に示す膨張収縮装置の断面図である。
【図５】本考案の第３の実施例の断面図である。
【図６】本考案の第３の実施例の断面図である。
【図７】本考案の第４の実施例の断面図である。
【図８】本考案の第４の実施例の断面図である。
【図９】図７の実施例に適用された回路図であって、前記回路に対する電力は交流である。
【図１０】図７の実施例に適用された回路図であって、前記回路に対する電力は直流である。
【図１１】３つのチャンバを有する膨張可能のマットレスを膨張又は収縮させるために用いられる膨張収縮装置を示す概略図である。
【図１２】図１１の実施例に適用された回路図であって、電力は直流である。
【図１３】図１１の実施例に適用された回路図であって、電力は交流である。
【図１４】２つのチャンバを有する膨張可能のマットレスに適用された膨張収縮装置を示す概略図である。
【図１５】図１４に示す実施例に適用された回路図であって、電力は直流である。
【図１６】図１４に示す実施例に適用された回路図であって、電力は交流である。
【図１７】有線制御機構が設けられた膨張収縮装置を示す概略図である。
【図１８】無線制御機構が設けられた膨張収縮装置を示す概略図である。
【符号の説明】
【００２０】
１  マットレス
２  膨張収縮装置
１２，１３  チャンバ
２１  ケーシング
２２  ポンプ
２３，２４，２５  弁
２１１  入口
２１２，２１３，２１４  出口
【図１−１】
0003104241.tif 000003
【図１−２】
0003104241.tif 000004
【図２】
0003104241.tif 000005
【図３】
0003104241.tif 000006
【図４】
0003104241.tif 000007
【図５】
0003104241.tif 000008
【図６】
0003104241.tif 000009
【図７】
0003104241.tif 000010
【図８】
0003104241.tif 000011
【図９】
0003104241.tif 000012
【図１０】
0003104241.tif 000013
【図１１】
0003104241.tif 000014
【図１２】
0003104241.tif 000015
【図１３】
0003104241.tif 000016
【図１４】
0003104241.tif 000017
【図１５】
0003104241.tif 000018
【図１６】
0003104241.tif 000019
【図１７】
0003104241.tif 000020
【図１８】
0003104241.tif 000021